(57)【要約】【課題】  構造が簡単でしかも背負いベルトが児童の肩幅に合わせて簡単に調整が可能なランドセルであって従来問題となっていた児童の皮膚への摩擦をなくしたランドセルを提供することを目的ととする。【解決手段】  ランドセル１の背板４にハート革３０を縫着して上部側を開放状態とすると共に、ハート革３０の開放した上部側の略中央部を背板に縫着することによって左右にそれぞれ隙間部３０ａを形成し、この隙間部３０ａに背負いベルト２６の端部２６ａをそれぞれ挿入して取付部材３３によって取付部材３３を中心に回動可能に取着することにより背負いベルトの左右幅が広がるように構成されたことを特徴とする。【選択図】図１
2005027977.tif 000002
【特許請求の範囲】
【請求項１】
ランドセルの背板にハート革をその下部側から両側部にかけて縫着して上部側を開放状態とすると共に、当該ハート革の開放した上部側の略中央部を前記背板に縫着することによって左右にそれぞれ隙間部を形成し、この隙間部に背負いベルトの端部をそれぞれ挿入して取付部材によって当該取付部材を中心に回動可能に取着することにより背負いベルトの左右幅が広がるように構成されたことを特徴とするランドセル。
【請求項２】
ランドセルの背板に取着されるハート革に設けられた各隙間部に背負いベルトの端部をそれぞれ挿入し、前記背板に当該ハート革をその下部側から両側部にかけて縫着すると共に、背負いベルトを取付部材によって当該取付部材を中心に回動可能に取着するすることにより背負いベルトの左右幅が広がるように構成されたことを特徴とするランドセル。
【請求項３】
請求項１又は２に記載のランドセルにおいて、
前記背負いベルトの回動は所定の力加えることによって回動可能とされていることを特徴とするランドセル。
【請求項４】
請求項１〜３のいずれか１項に記載のランドセルにおいて、
前記背負いベルトは、当該ランドセルを背負った使用者の肩上部に位置する部分が首に当たらないように外側に広がると共に、前記使用者の肩から脇にかかる部分を包み込むように背板側に湾曲して形成されていることを特徴とするランドセル。
【発明の詳細な説明】
【技術分野】
【０００１】
本発明は、ランドセルに関し、さらに詳しくはランドセルの背負いベルトに関するものである。
【背景技術】
【０００２】
従来から背負いベルトの左右幅が自由に広がる形式のランドセルが提供されている。そのようなランドセルの一つとして、例えば、特開２００１−３２７３１６号に示されたランドセルの取付構造がある。本取付構造は、ランドセルの本体の上部に回動自在に取り付けられる三角形状の取り付け鐶と、その取り付け鐶の左右の各辺に回動自在に連結される一対の連結片と、各連結片に対し、上端近辺が左右方向に回動自在に連結される肩ベルトとを備えていることを特徴としている（特許文献１。）。これにより、肩ベルトの取り付け部自体は左右に移動しないが連結片と肩ベルトとが回動自在であるので、肩ベルトの延びている方向が自由に変化するという効果を奏する。
【０００３】
【特許文献１】特開２００１−３２７３１６号公報  図１、図２
【発明の開示】
【発明が解決しようとする課題】
【０００４】
しかし、特開２００１−３２７３１６号に示されたランドセルの取付構造にあっては、金属製の取り付け鐶を有して構成されていたため取り付け鐶は硬く、首や背中に当たると痛いという問題があった。また、背負いベルトの左右幅が自由に広がる形式のものの大部分がプラスチックカバーが設けられたものであり、このカバーに皮膚が擦れて赤くなるという事例も報告されている。さらに、複雑な取り付け構造がとなるので髪の毛が挟まる等の欠点があった。
そこで、本発明はかかる問題点を解決し、構造が簡単でしかも背負いベルトが児童の肩幅に合わせて簡単に調整が可能なランドセルを提供することを目的とする。
【課題を解決するための手段】
【０００５】
上記課題を解決するために請求項１に記載の発明は、ランドセルの背板にハート革をその下部側から両側部にかけて縫着して上部側を開放状態とすると共に、当該ハート革の開放した上部側の略中央部を背板に縫着することによって左右にそれぞれ隙間部を形成し、この隙間部に背負いベルトの端部をそれぞれ挿入して取付部材によって当該取付部材を中心に回動可能に取着することにより背負いベルトの左右幅が広がるように構成されたことを特徴とするランドセルを提供する。
【０００６】
上記課題を解決するために請求項２に記載の発明は、ランドセルの背板に取着されるハート革に設けられた各隙間部に背負いベルトの端部をそれぞれ挿入し、背板に当該ハート革をその下部側から両側部にかけて縫着すると共に、背負いベルトを取付部材によって当該取付部材を中心に回動可能に取着するすることにより背負いベルトの左右幅が広がるように構成されたことを特徴とする。
【０００７】
上記課題を解決するために請求項３に記載の発明は、請求項１又は２に記載のランドセルにおいて、背負いベルトの回動は所定の力加えることによって回動可能とされていることを特徴とする。
【０００８】
上記課題を解決するために請求項４に記載の発明は、請求項１〜３のいずれか１項に記載のランドセルにおいて、背負いベルトは、当該ランドセルを背負った使用者の肩上部に位置する部分が首に当たらないように外側に広がると共に、前記使用者の肩から脇にかかる部分を包み込むように背板側に湾曲して形成されていることを特徴とするランドセル。
【発明の効果】
【０００９】
本発明に係るランドセルによれば構造が簡単でありながらしかも背負いベルトが成長する児童の肩幅に合わせて特段の作業を要することなく自動的に調整が可能となるという利点がある。また、従来のように金属製の取り付け鐶を使用しないので、プラスチックカバーを使用することもなく、従って児童の皮膚がかぶれる等の問題がなくなるという利点がある。
また、背負いベルトがランドセルを背負った児童の肩上部に位置する部分が首に当たらないように外側に広がると共に、児童の肩から脇にかかる部分を包み込むように背板側に湾曲して形成されているので背負ったときに児童の背負いベルトが首に当たることなくぴったりとフィットしてとても背負い易いという利点がある。
【発明を実施するための最良の形態】
【００１０】
以下、本発明に係るランドセルの一実施形態について図面を参照して詳細に説明する。まず、図５に示されたランドセル１は、概略として、ランドセル本体２と、蓋カバー２３と、背負いベルト２６、２６を備えて構成されている。
【００１１】
ランドセル本体２は、概略として、背板４と、左右の大襠３、３と、そして底板６とにより上面で開口した箱状に形成されている。左右の大襠３、３は、底板６の左右に連続して一体に形成されており、これら左右の大襠３、３と背板４とは左右の両縁部側において約１ｃｍ程度の幅をもって重合され、それぞれ両側部に突出するようにして縦方向に伸びる凸状縁部を形成している。そして、その左右の凸状縁部のそれぞれには外側から縁巻材１０、１０が覆うように配置され、この縁巻材１０、１０を介して左右の大襠３、３と背板４とが縫着されている。縁巻材１０、１０の下側の角部１０ａ、１０ａは、ランドセルを置いたときに床等の接地面と接触すると共に底縁材と隣接するように形成されている。この角部１０ａ、１０ａは床等と接触する他、ぶつけたり擦れたりして最も磨耗しやすい部分である。この点、縁巻材１０、１０を凸状縁部の外側から覆うように配置して縫着することとしたので縁巻材１０、１０の交換が容易となり、従って、縁巻材１０、１０の下側角部１０ａ、１０ａが磨耗した場合にも容易に交換修理を行うことができる。
【００１２】
蓋カバー２３は、その基端部が背板４の上端縁に取り付けられており、その遊端部に磁性材製の掛止板２４が取り付けられ、この掛止板２４を底板６に設けた磁石製の錠止体２５に鋲止させるようにしている。
【００１３】
図１に示すように、ランドセル１の背板４には、ハート革３０が上部側を開放した状態でその下部側から両側部にかけて縫着されている。ハート革３０は、天然或は人工皮革により背負いベルト２６、２６を背板４に取着するための部材であり、その形状がハート形に似ているのでそのように称呼する。ハート革３０の開放した上部側は略ハの字形状とされ、その略中央部近傍が背板４に縦方向に縫着されており、それによってハート革３０には左右にそれぞれ隙間部３０ａ、３０ａが形成されている。そして、この隙間部３０ａ、３０ａに背負いベルト２６、２６の端部２６ａ、２６ａがそれぞれ挿入される。背負いベルト２６、２６の端部２６ａ、２６ａには孔部２６ｂ（図４参照）が穿設され、この孔部２６ｂを取付部材であるリベット３３、３３が貫通するようにして回動可能に取着されている。すなわち、背負いベルト２６、２６はこのリベット３３、３３を回動中心として回動するようになっている。これにより、背負いベルト２６、２６の左右幅が広がり、成長する児童の肩幅に合わせて特段の作業を要することなく自動的にその幅が調整される。尚、背負いベルト２６、２６の回動は、背負いベルト２６、２６がハート革３０の隙間部３０ａ、３０ａの両端部に当接することによってその動きが規制される。
【００１４】
また、ハート革３０は、２枚の革材を重ね合わせ、上部側を開放した状態でその下部側から両側部にかけて縫着することによって予め隙間部３０ａ、３０ａを形成しておくこともできる。この場合にあっては、背負いベルト２６、２６は、背板４に縫着されたハート革３０に予め設けられた隙間部３０ａ、３０ａにその端部を挿入し、取付部材であるリベット３３、３３によって回動可能に取着する。これにより、背負いベルト２６、２６はリベット３３、３３を回転中心として回動可能とされる。そして、背負いベルト２６、２６の回動は、背負いベルト２６、２６がハート革３０の隙間部３０ａ、３０ａの両端部に当接することによってその動きが規制される。
【００１５】
背負いベルト２６、２６の回動は所定の力加えることによって回動するようになっている。すなわち、背負いベルト２６、２６の端部を貫通するようにして取着されたリベット３３、３３の周囲には図示しないパッキン部材が配設され、これによって所定の抵抗が付与されている。このように構成することにより背負いベルト２６、２６は簡単には回動しないが児童が背負ったときに回動させることが可能となる。尚、パッキン部材は、その材質を特に限定するものではなく、合成樹脂やゴム等を用いることができる。
【００１６】
一方、背負いベルト２６、２６は、ランドセル１を背負った児童の肩上部に位置する部分（Ａ部）が児童の首に当たらないように外側（図３における左右方向）に広がると共に、児童の肩から脇にかかる部分を包み込むように背板側４に湾曲して形成されている。これによりランドセル１は背負いベルト２６、２６ズレることなくぴったりと身体にフィットする。そして、上述の背負いベルト２６、２６の回動動作によりさらにフィット感が増す。尚、背負いベルト２６、２６の他端部２６ｃ、２６ｃは留金２７、２７に取着された図示しないベルトの図示しないバックルに取着されるようになっている。
【図面の簡単な説明】
【００１７】
【図１】本発明に係るランドセルの一部正面図である。
【図２】ハート革と背負いベルトを示した部分拡大図である。
【図３】背負いベルトの全体をあらわした拡大図である。
【図４】背負いベルトの端部を示した斜視図である。
【図５】本発明に係るランドセルの全体を示した斜視図である。
【符号の説明】
【００１８】
１    ランドセル
２    ランドセル本体
３    大襠
４    背板
６    底板
１０    縁巻材
２３    蓋カバー
２６    背負いベルト
２６ａ    端部
２６ｂ    孔部
２６ｃ    他端部
２７    留金
３０    ハート革
３０ａ    隙間部
３３    リベット
【図１】
2005027977.tif 000003
【図２】
2005027977.tif 000004
【図３】
2005027977.tif 000005
【図４】
2005027977.tif 000006
【図５】
2005027977.tif 000007